(57)【要約】【課題】タッチパネルを有する携帯端末において、音声着信割り込みで起動したアプリケーションの誤操作を防止できるようにする。【解決手段】音声着信があったことをユーザに知らせる表示をタッチパネル上に行うと共に、この音声着信があったときの、タッチパネル入力部に対する操作を監視し、音声着信があったときにタッチパネル入力部に対する操作が行われているときには、一定時間タッチパネル入力部に対する操作を禁止し、タッチパネル入力部に対する操作が行われていないときには、音声着信を受諾又は拒否する操作を可能とする。【選択図】図３
2013128242.tif 000002
【特許請求の範囲】
【請求項１】
通信可能な携帯端末において、
通信相手と通信を行う無線通信部と、
音声着信があったことをユーザに知らせる表示領域を有するタッチパネルと、
音声着信があったことを上記表示領域に表示させる中央制御部と、
タッチパネル上の画面の選択により所定の操作を受け付けるタッチパネル入力部と、
上記タッチパネル入力部への入力がユーザが意図した通りかを監視する入力監視部とを備え、
上記入力監視部は、上記タッチパネル入力部への操作を検知する検知手段よりなり、該入力監視部が監視するのは、上記タッチパネル入力部に対する、音声着信を受諾又は拒否する操作であり、
上記中央制御部は、上記入力監視部の検出結果より、誤操作を防止するように構成されている
ことを特徴とする携帯端末。
【請求項２】
携帯端末に内蔵されたコンピュータに対し、
音声着信があったことをユーザに知らせる表示をタッチパネル上に行う機能と、
タッチパネル上の画面の選択により所定の操作を受け付ける機能と、
上記音声着信があったときの、上記タッチパネルに対する操作を監視し、音声着信があったときに該タッチパネルに対する操作が行われているときには、一定時間上記タッチパネルに対する操作を禁止し、該タッチパネルに対する操作が行われていないときには、音声着信を受諾又は拒否する操作を可能とする機能とを実現させる
ことを特徴とする携帯端末用プログラム。
【発明の詳細な説明】
【技術分野】
【０００１】
本発明は、タッチパネルを有する携帯端末及び携帯端末用プログラムに関し、特にその誤動作防止の技術に関するものである。
【背景技術】
【０００２】
近年、携帯端末には、特にスマートフォンの登場後、液晶パネル等によるディスプレイを触れることによって画面を操作できるタッチパネルが搭載されるようになってきている。タッチパネルを有する入力装置は、表示画面上にユーザが指先などで直接触れることにより入力を受け付けるため、ユーザは極めて直感的な操作を行うことができる。こうしたタッチパネルへの入力の誤操作を防ぐために、例えば特許文献１には、充電機器などが接続された際など、タッチ操作が意図しない操作であることが予想される場合には、その操作を無効にして誤操作を防止できるようにしている。
【先行技術文献】
【特許文献】
【０００３】
【特許文献１】特開２０１１-３４１９６号公報
【発明の概要】
【発明が解決しようとする課題】
【０００４】
従来のテンキーを有する携帯端末では、音声着信時のオフフックに使うボタンは、ブラウザ操作、ゲームなどのアプリケーション操作で使用しないボタンを使用していたので、アプリケーション操作にユーザの意識が集中しているときに着信があっても、アプリケーション操作のつもりで押したボタンで通話機能を誤操作することはなかった。
【０００５】
しかしながら、全てのアプリケーションを１つのタッチパネルで操作する携帯端末では、オフフックもタッチパネル上のソフトボタンで操作するため、ユーザが意図して起動していたアプリケーション（ブラウザ、ゲーム等）の操作をしているつもりで割り込みによって起動したアプリケーション（音声着信通話）の操作をし、意図せず着信を拒否するボタンや着信に応じるボタンを触ってしまうという課題が発生した。この課題は、特許文献１のような技術であっても、手に持ったり、表示画面を視認していたりすれば、特定エリア外での操作は依然として無効とされないことから、十分に解決できない。
【０００６】
本発明は、かかる点に鑑みてなされたものであり、その目的とするところは、タッチパネルを有する携帯端末において、音声着信割り込みで起動したアプリケーションの誤操作を防止できるようにすることを目的とする。
【課題を解決するための手段】
【０００７】
上記の目的を達成するために、この発明では、タッチパネル入力部への入力操作を監視する入力監視部を設けた。
【０００８】
具体的には、第１の発明は、通信可能な携帯端末を前提とし、
上記携帯端末は、
通信相手と通信を行う無線通信部と、
音声着信があったことをユーザに知らせる表示領域を有するタッチパネルと、
音声着信があったことを上記表示領域に表示させる中央制御部と、
タッチパネル上の画面の選択により所定の操作を受け付けるタッチパネル入力部と、
上記タッチパネル入力部への入力がユーザが意図した通りかを監視する入力監視部とを備え、
上記入力監視部は、上記タッチパネル入力部への操作を検知する検知手段よりなり、該入力監視部が監視するのは、上記タッチパネル入力部に対する、音声着信を受諾又は拒否する操作であり、
上記中央制御部は、上記入力監視部の検出結果より、誤操作を防止するように構成されている。
【０００９】
上記の構成によると、音声着信があったことを表示する画面の割り込み時にタッチパネル入力部によって検出された操作が、入力監視部によってユーザの意図したものか判断され、その判断結果から中央制御部が制御を行うことで、意図せず着信を拒否するボタンや着信に応じるボタンを触ってしまうという誤操作が防止される。
【００１０】
第２の発明では、携帯端末用プログラムは、
携帯端末に内蔵されたコンピュータに対し、
音声着信があったことをユーザに知らせる表示をタッチパネル上に行う機能と、
タッチパネル上の画面の選択により所定の操作を受け付ける機能と、
上記音声着信があったときの、上記タッチパネルに対する操作を監視し、音声着信があったときに該タッチパネルに対する操作が行われているときには、一定時間上記タッチパネルに対する操作を禁止し、該タッチパネルに対する操作が行われていないときには、音声着信を受諾又は拒否する操作を可能とする機能とを実現させる構成とする。
【００１１】
上記の構成によると、音声着信があったことを表示する画面の割り込み時にタッチパネルに対する操作が行われているかを監視し、操作が行われていたときにはタッチパネルに対する操作を一定時間禁止することで、意図せず着信を拒否するボタンや着信に応じるボタンを触ってしまうという誤操作が防止される。
【発明の効果】
【００１２】
以上説明したように、本発明によれば、音声着信があったことをユーザに知らせる表示をタッチパネル上に行うと共に、この音声着信があったときの、タッチパネル入力部に対する操作を監視し、音声着信があったときにタッチパネル入力部に対する操作が行われているときには、一定時間タッチパネル入力部に対する操作を禁止し、タッチパネル入力部に対する操作が行われていないときには、音声着信を受諾又は拒否する操作を可能とするようにしたことにより、音声着信割り込みで起動したアプリケーションの誤操作を防止することができる。
【図面の簡単な説明】
【００１３】
【図１】本実施形態の携帯電話機のシステムの構成図である。
【図２】携帯電話機のブロック図である。
【図３】携帯電話機において行われる処理を説明するフローチャートである。
【発明を実施するための形態】
【００１４】
以下、本発明の実施形態を図面に基づいて説明する。
【００１５】
図１に本発明の実施形態の携帯端末としての携帯電話機１を含む通信システムの概略を示す。携帯電話機１は、交換機２を介して無線通信網３に接続される基地局４と通信することにより、他の携帯電話機１との間で、音声通話を行う。
【００１６】
図２に携帯電話機１のブロック図を示し、携帯電話機１は、中央制御部５、メモリであるＲＡＭ６（Ｒａｎｄｏｍ  Ａｃｃｅｓｓ  Ｍｅｍｏｒｙ）及びＲＯＭ７（Ｒｅａｄ  Ｏｎｌｙ  Ｍｅｍｏｒｙ）、無線通信部８、タッチパネル入力部９、タッチパネル１０、入力監視部１１、スピーカ１２、バイブレータ１３等を備えている。中央制御部５は、ＣＰＵ（Ｃｅｎｔｒａｌ  Ｐｒｏｃｅｓｓｉｎｇ  Ｕｎｉｔ)やＭＰＵ（Ｍｉｃｒｏ  Ｐｒｏｃｅｓｓｉｎｇ Ｕｎｉｔ）等を用いて構成されている。中央制御部５は、ＲＡＭ６又はＲＯＭ７に記憶されているプログラムやデータに基づいて、携帯電話機１の統括的な制御を行うとともに、携帯電話機１が提供する各種の機能を実現する。本実施形態では、入力監視部１１は、インカメラとするが、近接センサなどを用いてもよい。
【００１７】
ＲＡＭ６には入力部９に対して行われる入力監視部１１の操作の妥当性を判断する判断方法設定情報を記憶する判断方法設定情報記憶部６ａが含まれ、ＲＯＭ７にはプログラムやデータが記憶されている。
【００１８】
図３は、携帯電話機１において行われる処理を説明するフローチャートである。ステップＳ１００１において、携帯電話機１は、電源がオンされている状態において、音声着信があるかどうか監視をする。携帯電話機１は、音声通話の着信を検知すると、ステップＳ１００２に進み、スピーカ１２で着信音を再生したり、又はバイブレータ１３で振動を発生させたりして音声着信処理を開始する。
【００１９】
次いで、ステップＳ１００３において、タッチパネル１０が点灯しているか否かによってユーザ操作が行われていたかを判別する。
【００２０】
タッチパネル１０が消灯しているとき、ステップＳ１００４に進み、ユーザはタッチパネル入力部９による操作をしていないと判断し、誤操作は発生しないと判断する。省電力のために入力監視部１１を起動せず、タッチパネル１０を点灯させ、例えば、「着信を受けました」という文字を表示した後、「着信をとりますか？」というような音声着信判断画面を表示する。
【００２１】
一方、タッチパネル１０が点灯しているときには、ステップＳ１００５に進み、ユーザがタッチパネル入力部９を操作している可能性があると判断し、入力監視部１１であるインカメラを起動する。
【００２２】
次いで、ステップＳ１００６において、ユーザがタッチパネル入力部９を操作しているかを判断方法設定情報記憶部６ａにて判断する。インカメラの場合、画像認識システムにより指の検出を行う。このときの画像認識システムのアルゴリズムは一般的な手法としてテンプレートマッチングなどが挙げられるが、特にこの手法に限られない。
【００２３】
画像認識システムの判定結果により、指が検出なかった場合、誤操作は発生しないと判断し、ステップＳ１００７に進んでインカメラ（入力監視部１１）を終了すると共に、ステップＳ１００４において音声着信判断画面を表示する。
【００２４】
逆に画像認識システムの判定結果により、指が検出された場合、ステップＳ１００８に進んでタッチパネル入力部９による入力を一定時間（例えば、１秒程度）禁止し、ユーザの誤操作を防ぐ。そして、ステップＳ１００７において、インカメラ（入力監視部１１）を終了すると共に、ステップＳ１００４において音声着信判断画面を表示する。この際、音声着信判断画面においてユーザに対してタッチパネル入力部９による操作が禁止されていることがわかるようにしておく。
【００２５】
一定時間が経過し、タッチパネル入力部９による入力禁止が解除されると、ユーザは音声着信判断画面にて操作が可能になり、着信をとるか、着信拒否の操作をする。
【００２６】
したがって、本実施形態にかかる携帯電話機１によると、ユーザが他のアプリケーションを操作中に、急に音声着信判断画面が表示されても誤操作することはなくなる。
【００２７】
（その他の実施形態）
本発明は、上記実施形態について、以下のような構成としてもよい。
【００２８】
すなわち、上記実施形態では、携帯端末は、携帯電話機１としたが、ＰＨＳ（Personal Handy-phone System ）、ＰＤＡ(Personal Digital Assistant)、スマートフォン、パソコン、モバイルツール、電子辞書、ゲーム機等の無線通信機能を有するものであってもよい。
【００２９】
なお、以上の実施形態は、本質的に好ましい例示であって、本発明、その適用物や用途の範囲を制限することを意図するものではない。
【符号の説明】
【００３０】
１      携帯電話機（携帯端末）
２      交換機
３      無線通信網
４      基地局
５      中央制御部
６      ＲＡＭ
６ａ    判断方法設定情報記憶部
７      ＲＯＭ
８      無線通信部
９      タッチパネル入力部
１０      タッチパネル
１１      入力監視部
１２      スピーカ
１３      バイブレータ
【図１】
2013128242.tif 000003
【図２】
2013128242.tif 000004
【図３】
2013128242.tif 000005